(57)【要約】【課題】動画配信サーバからネットワークを介して配信された動画データを画像表示端末装置で受信し、テレビジョン受像器に表示するサービス提供システム及びそれを用いたアプリケーション実行方法に関し、画像表示端末装置を用いてアプリケーションプログラムを実行できるサービス提供システム及びそれを用いたアプリケーション実行方法を提供することを目的とする。【解決手段】本発明は、画像を配信するサーバ（１０７）と、サーバ（１０７）からネットワーク（１０６）を介して画像を受信してモニタ（１０８）に表示する画像表示端末装置（１０１）とを有するサービス提供システム（１００）であって、サーバ（１０７）は画像表示端末装置（１０１）からの操作に基づいてサーバ（１０７）でアプリケーションプログラムを起動、実行し、アプリケーションプログラムを実行した結果得られる画面を画像表示端末装置（１０１）に送信し、画像表示端末装置（１０１）はサーバ（１０７）から提供された画面をモニタ（１０８）に表示することを特徴とする。【選択図】図１
2008141697.tif 000002
【特許請求の範囲】
【請求項１】
画像を配信するサーバと、該サーバからネットワークを介して画像を受信してモニタに表示する画像表示端末装置とを有するサービス提供システムであって、
前記サーバは、前記画像表示端末装置からの操作に基づいて前記サーバでアプリケーションプログラムを起動、実行し、アプリケーションプログラムを実行した結果得られる画面を前記画像表示端末装置に送信し、
前記画像表示端末装置は、前記サーバから提供された画面をモニタに表示することを特徴とするサービス提供システム。
【請求項２】
画像を配信する画像配信サーバと、該画像配信サーバからネットワークを介して画像を受信してモニタに表示する画像表示端末装置とを有するサービス提供システムであって、
アプリケーションプログラムを実行するアプリケーションプログラム実行サーバを有し、
前記アプリケーションプログラム実行サーバは、前記画像表示端末装置からの操作に基づいて前記アプリケーションプログラム実行サーバでアプリケーションプログラムを起動、実行し、アプリケーションプログラムを実行した結果得られる画面を前記画像表示端末装置に送信し、
前記画像表示端末装置は、前記アプリケーションプログラム実行サーバから提供された画面をモニタに表示することを特徴とするサービス提供システム。
【請求項３】
画像を配信する画像配信サーバからネットワークを介して画像を受信してモニタに表示させる画像表示端末装置を用いたアプリケーション実行方法であって、
前記画像表示端末装置から前記画像配信サーバにアプリケーションプログラムを実行する旨の通知を行い、
前記画像表示端末装置からの通知に基づいて前記画像配信サーバでアプリケーションプログラムを起動、実行し、アプリケーションプログラムを実行した結果得られる画面を前記画像表示端末装置に送信し、
前記画像表示端末装置で前記画像配信サーバから提供された画面をモニタに表示することを特徴とする画像表示端末装置を用いたアプリケーション実行方法。
【請求項４】
画像を配信する画像配信サーバからネットワークを介して画像を受信してモニタに表示させる画像表示端末装置を用いたアプリケーション実行方法であって、
前記画像表示端末装置からアプリケーションプログラム実行サーバにアプリケーションプログラムを実行する旨の通知を行い、
前記画像表示端末装置からの通知に基づいて前記アプリケーションプログラム実行サーバでアプリケーションプログラムを起動、実行し、アプリケーションプログラムを実行した結果得られる画面を前記画像表示端末装置に送信し、
前記画像表示端末装置で前記アプリケーション実行サーバから提供された画面をモニタに表示することを特徴とする画像表示端末装置を用いたアプリケーション実行方法。
【発明の詳細な説明】
【技術分野】
【０００１】
本発明はサービス提供システム及びそれを用いたアプリケーション実行方法に係り、特に、動画配信サーバからネットワークを介して配信された動画データを画像表示端末装置で受信し、テレビジョン受像器に表示するサービス提供システム及びそれを用いたアプリケーション実行方法に関する。
【背景技術】
【０００２】
近年、ネットワークの発展に伴って、パーソナルコンピュータなどでは、ＡＤＳＬ、ＦＴＴＨなどのブロードバンド回線を利用して、サーバから動画・音楽・ゲームなどのコンテンツを取得し、利用できるようになっている。これらのコンテンツを家庭用テレビで簡易に利用できるようにしたＩＰ−ＳＴＢ（IP-Set  Top  Box）、ＤＭＡ（Digital  Media  Adaptor)などと呼ばれる情報処理装置が開発されている（例えば、特許文献１、２参照）。
【０００３】
このような情報処理装置はサーバからネットワークを介して取得したディジタルデータから圧縮された映像データ及びオーディオデータを抽出し、伸長して、家庭用テレビで映像信号及びオーディオ信号を生成して、家庭用テレビに供給する。
【０００４】
しかるに、このような画像配信システムは、単に、動画配信サーバからネットワークを介して配信された動画データを画像表示端末装置で受信し、テレビジョン受像器に表示するものであった。
【０００５】
なお、コンピュータシステムにおいては、ネットワークを介して通信可能とされたコンピュータ間でプログラムを遠隔操作するシステム開発されている（例えば、特許文献３、４参照）。
【特許文献１】特開２００１−１２９２５９号公報
【特許文献２】特開２０００−１１５７４５号公報
【特許文献３】特開平１０−１６１８８５号公報
【特許文献４】特開平０５−３５６２２号公報
【発明の開示】
【発明が解決しようとする課題】
【０００６】
本発明は、画像表示端末装置を用いてアプリケーションプログラムを実行できるサービス提供システム及びそれを用いたアプリケーション実行方法を提供することを目的とする。
【課題を解決するための手段】
【０００７】
本発明は、画像を配信するサーバ（１０７）と、サーバ（１０７）からネットワーク（１０６）を介して画像を受信してモニタ（１０８）に表示する画像表示端末装置（１０１）とを有するサービス提供システム（１００）であって、サーバ（１０７）は画像表示端末装置（１０１）からの操作に基づいてサーバ（１０７）でアプリケーションプログラムを起動、実行し、アプリケーションプログラムを実行した結果得られる画面を画像表示端末装置（１０１）に送信し、画像表示端末装置（１０１）はサーバ（１０７）から提供された画面をモニタ（１０８）に表示することを特徴とする。
【０００８】
また、本発明は、画像を配信する画像配信サーバ（２０１）と、画像配信サーバ（２０１）からネットワーク（１０６）を介して画像を受信してモニタ（１０８）に表示する画像表示端末装置（１０１）とを有するサービス提供システム（２００）であって、アプリケーションプログラムを実行するアプリケーションプログラム実行サーバ（２０２）を有し、アプリケーションプログラム実行サーバ（２０２）は画像表示端末装置（１０１）からの操作に基づいてアプリケーションプログラム実行サーバ（２０２）でアプリケーションプログラムを起動、実行し、アプリケーションプログラムを実行した結果得られる画面を画像表示端末装置（１０１）に送信し、画像表示端末装置（１０１）はアプリケーションプログラム実行サーバ（２０２）から提供された画面をモニタ（１０８）に表示することを特徴とする。
【０００９】
また、本発明は、画像を配信する画像配信サーバ（１０７）からネットワーク（１０６）を介して画像を受信してモニタ（１０８）に表示させる画像表示端末装置を用いたアプリケーション実行方法であって、画像表示端末装置（１０１）から画像配信サーバ（１０７）にアプリケーションプログラムを実行する旨の通知を行い、画像表示端末装置（１０１）からの通知に基づいて画像配信サーバ（１０７）でアプリケーションプログラムを起動、実行し、アプリケーションプログラムを実行した結果得られる画面を画像表示端末装置（１０１）に送信し、画像表示端末装置（１０１）で画像配信サーバ（１０７）から提供された画面をモニタ（１０８）に表示することを特徴とする。
【００１０】
さらに、本発明は、画像を配信する画像配信サーバ（２０１）からネットワーク（１０６）を介して画像を受信してモニタ（１０８）に表示させる画像表示端末装置（１０１）を用いたアプリケーション実行方法であって、画像表示端末装置（１０１）からアプリケーションプログラム実行サーバ（２０２）にアプリケーションプログラムを実行する旨の通知を行い、画像表示端末装置（１０１）からの通知に基づいてアプリケーションプログラム実行サーバ（２０２）でアプリケーションプログラムを起動、実行し、アプリケーションプログラムを実行した結果得られる画面を画像表示端末装置（１０１）に送信し、画像表示端末装置（１０１）でアプリケーション実行サーバ（２０２）から提供された画面をモニタ（１０８）に表示することを特徴とする。
【００１１】
なお、上記参照符号は、あくまでも参考であり、これによって特許請求の範囲が限定されるものではない。
【発明の効果】
【００１２】
本発明によれば、アプリケーションプログラムを画像表示端末装置からの操作情報に基づいてサーバで処理し、その画面を画像表示端末装置に送信し、画像表示端末装置により表示させるため、画像表示端末装置の処理能力によらずにサーバの処理能力に準じてアプリケーションプログラムを実行できる。また、画像表示端末装置は、従来と同様にサーバから供給される画像をモニタなどに表示すればよいので、画像表示端末装置に特別な変更を行うことなく、高度なアプリケーションプログラムを実行させることができる。
【発明を実施するための最良の形態】
【００１３】
図１は本発明の一実施例のシステム構成図を示す。
【００１４】
本実施例の画像配信システム１００は、画像表示端末装置１０１、キーボード１０２、マウス１０３、ゲームコントロールパッド１０４、リモコン１０５、ネットワーク１０６、動画配信サーバ１０７などを含む構成とされている。
【００１５】
本実施例の画像表示端末装置１０１は、キーボード１０２、マウス１０３、ゲームコントロールパッド１０４、リモコン１０５などのＨＩＤ（Human  Interface  Device）により、コントロール可能とされている。また、画像表示端末装置１０１は、ネットワーク１０６を介して動画配信サーバ１０７と通信可能とされている。
【００１６】
画像表示端末装置１０１は、キーボード１０２、マウス１０３、ゲームコントロールパッド１０４、リモコン１０５などの操作を検出し、操作に対応する操作情報（コマンド）を生成し、ネットワーク１０６を介して操作情報を動画配信サーバ１０７に送信する。動画配信サーバ１０７は、画像表示端末装置１０１から供給された操作情報に対応した動画データを読み出し、圧縮、スクランブルなどのデータ処理を行って、ネットワーク１０６を介して画像表示端末装置１０１に配信する。
【００１７】
画像表示端末装置１０１は、動画配信サーバ１０７から動画データを受信すると、動画配信サーバ１０７で圧縮され、スクランブルがかけられた動画データに対してデスクランブル、伸長などの処理を実行し、映像信号を生成する。画像表示端末装置１０１は、生成した映像信号をテレビジョン受像機１０８に供給する。
【００１８】
テレビジョン受像機１０８は、ＣＲＴ、ＬＣＤ、プラズマディスプレイなどの表示装置から構成されており、画像表示端末１０１から供給された映像信号を画面表示する。
【００１９】
次に画像表示端末装置１０１の構成について説明する。
【００２０】
図２は画像表示端末装置１０１のブロック構成図を示す。
【００２１】
画像表示端末装置１０１は、ＣＰＵ（Central  Processing  Unit）１２１、フラッシュメモリ１２２、作業用メモリ１２３、１２４、ＰＣＩ（Peripheral  Component  Interconnect）バス１２５、ＭＰＥＧ（（Moving  Picture  Experts  Group）コーデック１２６、通信回路１２７、表示コントローラ１２８、表示装置１２９、ビデオスイッチ１３０、ディジタルアナログコンバータ１３１、ＵＳＢ（Universal  Serial  Bus）コントローラ１３２、ＭＣＵ（Micro  Control  Unit）１３３、受光部１３４、ＩＤＥ（Integrated  Device  Electronics）コントローラ１３５、通信コネクタＣ11、コンポジット映像信号出力端子Ｃ21、セパレート映像信号出力端子Ｃ22、コンポーネント映像信号出力端子Ｃ23、オーディオ信号出力端子Ｃ24、光オーディオ信号出力端子Ｃ25、ＵＳＢポートＣ26から構成されている。
【００２２】
ＣＰＵ１２１は、フラッシュメモリ１２２に記憶されたファームウェアに基づいて各種処理を実行する。ＣＰＵ１２１には、作業用メモリ１２３、通信回路１２７、表示コントローラ１２８が接続されるとともに、ＰＣＩバス１２５を介してＭＰＥＧコーデック１２６、ＵＳＢコントローラ１３２が接続されている。
【００２３】
フラッシュメモリ１２２は、例えば、ＮＯＲ型フラッシュメモリから構成されており、ファームウェアが記憶されている。作業用メモリ１２３は、例えば、ＳＤＲＡＭ（Synchronous  DRAM）から構成されており、ＣＰＵ１２１に接続され、ＣＰＵ１２１でのデータ処理の作業用記憶領域として用いられる。
【００２４】
作業用メモリ１２４は、例えば、ＳＤＲＡＭなどから構成されており、ＭＰＥＧコーデック１２６に接続され、ＭＰＥＧコーデック１２６でのデータ処理の作業用記憶領域として用いられる。
【００２５】
ＰＣＩバス１２５は、ＣＰＵ１２１とＭＰＥＧコーデック１２６及びＵＳＢコントローラ１３２との間の通信を行うためのバスである。
【００２６】
ＭＰＥＧコーデック１２６には、ＣＰＵ１２１からＰＣＩバス１２５を介して圧縮データが供給される。ＭＰＥＧコーデック１２６は、ＣＰＵ１２１から供給された圧縮データを伸長して映像データ及びオーディオデータにデコードする。ＭＰＥＧコーデック１２６は、デコードされた映像データから映像信号を生成し、ビデオスイッチ１３０に出力する。
【００２７】
ＭＰＥＧコーデック１２６で生成された映像信号は、ビデオスイッチ１３０を介してコンポジット映像信号出力端子Ｃ21、又は、セパレート映像信号出力端子Ｃ22、又は、コンポーネント映像信号出力端子Ｃ23から出力される。コンポジット映像信号出力端子Ｃ21、又は、セパレート映像信号出力端子Ｃ22、又は、コンポーネント映像信号出力端子Ｃ23は、テレビジョン受像機１０８に接続され、テレビジョン受像機１０８に映像信号を提供する。
【００２８】
コンポジット映像信号出力端子Ｃ21からは、輝度信号と色信号と同期信号とが合成された映像信号が出力される。セパレート映像信号出力端子Ｃ22からは、輝度信号と色信号とが別々に出力される。コンポーネント映像信号出力端子Ｃ23からは、輝度信号とＢ−Ｙ色差信号とＲ−Ｙ色差信号とが別々に出力される。なお、Ｂ−Ｙ色差信号及びＲ−Ｙ色差信号は、色信号をその色成分に応じて分離した信号である。
【００２９】
ＭＰＥＧコーデック１２６で生成されたオーディオデータは、ディジタルアナログコンバータ１３１に供給される。ディジタルアナログコンバータ１３１は、ＭＰＥＧコーデック１２６から供給されたオーディオデータをアナログオーディオ信号に変換する。
【００３０】
ディジタルアナログコンバータ１３１で変換されたアナログオーディオ信号は、アナログオーディオ信号出力端子Ｃ24から出力される。また、ＭＰＥＧコーデック１２６は、光オーディオ信号を光オーディオ信号出力端子Ｃ25に出力する。
【００３１】
アナログオーディオ信号出力端子Ｃ24又は光オーディオ信号出力端子Ｃ25は、例えば、テレビジョン受像機１０８に接続され、テレビジョン受像機１０８にオーディオ信号を供給する。テレビジョン受像機１０８は、アナログオーディオ信号出力端子Ｃ24又は光オーディオ信号出力端子Ｃ25から供給されたオーディオ信号に応じて内蔵されたスピーカを駆動して、オーディオ出力を行う。
【００３２】
通信コネクタＣ11には、ネットワーク１０６などと接続されたケーブルが接続され、動画配信サーバ１０７との通信を行う。
【００３３】
通信回路１２７は、ＣＰＵ１２１と通信コネクタＣ11との間に接続され、ネットワーク１０６とＣＰＵ１２１との通信制御を行う。
【００３４】
表示コントローラ１４１は、ＣＰＵ１３１からの指示に基づいて表示装置１２９を制御して、表示装置１２９に各種情報を表示させる。表示装置１２９は、例えば、７セグＬＥＤ（Light  Emitting  Device）、ＬＣＤ（Liquid  Crystal  Display）などから構成されており、表示コントローラ１２８により制御されて、各種情報を表示する。
【００３５】
ＵＳＢコントローラ１３２は、ＵＳＢポートＣ26とＰＣＩバス１２５との間に接続されており、ＵＳＢとＰＣＩバスとのインタフェースをとる。ＵＳＢポートＣ26には、キーボード１０２、マウス１０３、ゲームコントロールパッド１０４などが接続される。
【００３６】
また、ＵＳＢコントローラ１３２は、ＭＣＵ１３３に接続されている。ＭＣＵ１３３は、受光部１３４からの信号を受信し、入力データを生成し、ＵＳＢコントローラ１３２に供給する。ＵＳＢコントローラ１３２は、ＭＣＵ１３３からの入力データをＣＰＵ１２１に供給する。
【００３７】
受光部１３４は、リモコン１０５から入射された赤外光を電気信号に変換して、ＭＣＵ１３３に供給する。ＭＣＵ１３３は、受光部１３４から供給された電気信号を解析して、コマンドを生成して、ＵＳＢコントローラ１３２を介してＣＰＵ１２１に通知する。
【００３８】
さらに、ＵＳＢコントローラ１３２は、ＩＤＥコントローラ１３５に接続されている。ＩＤＥコントローラ１３５は、いわゆる、ＡＴＡ（AT  Attachment）であり、ＩＤＥ機器、例えば、ハードディスクドライブ１３６が接続される。ＩＤＥコントローラ１３５は、ＩＤＥ機器、例えば、ハードディスク１３６とＵＳＢコントローラ１３２とのインタフェースをとっている。
【００３９】
図３は動画配信サーバ１０７のブロック構成図を示す。
【００４０】
動画配信サーバ１０７は、通信回路１４１、ＣＰＵ１４２、メモリ１４３、ファイル装置１４４から構成されている。
【００４１】
通信回路１４１は、ネットワーク１０６を介して画像表示端末装置１０１との通信を行うための回路である。
【００４２】
ＣＰＵ１４２は、画像表示端末装置１０１から供給されるコマンドに基づいて画像表示端末装置１０１に動画を配信するとともに、アプリケーションプログラムを起動、実行し、その画面のみを画像表示端末装置１０１に配信する。
【００４３】
メモリ１４３は、ＲＡＭなどから構成されており、ＣＰＵ１４２の作業用記憶領域として用いられる。
【００４４】
ファイル装置１４４は、主に、動画ファイル部１５１及びアプリケーションプログラムファイル部１５２を含む構成とされている。
【００４５】
動画ファイル部１５１には、複数の動画データＤ1〜Ｄnが記憶されている。動画データＤ1〜ＤnはＣＰＵ１４２により読み出されて、画像表示端末装置１０１に配信される。
【００４６】
また、アプリケーションプログラムファイル部１５２には、アプリケーションプログラムＡＰＬ1〜ＡＰＬmが記憶されている。アプリケーションプログラムＡＰＬ1〜ＡＰＬmは、ＣＰＵ１４２により起動され、ＣＰＵ１４２により実行される。アプリケーションプログラムＡＰＬ1〜ＡＰＬmは、例えば、ワープロソフト、表計算ソフト、画像処理ソフト、描画ソフト、動画処理ソフトなど各種ソフトウェアから構成される。
【００４７】
〔動作〕
次に本実施例の画像配信システム１００の動作を説明する。
【００４８】
図４は画像配信システム１００のアプリケーション実行処理の処理フローチャートを示す。図４（Ａ）は画像表示端末装置１０１の処理フローチャート、図４（Ｂ）は動画配信サーバ１０７の処理フローチャートを示す。
【００４９】
画像表示端末装置１０１は、ステップＳ１−１でキーボード１０２、マウス１０３、ゲームコントロールパッド１０４、リモコン１０５などのＨＩＤの操作があると、ステップＳ１−２でその操作情報を作成し、動画配信サーバ１０７に送信する。
【００５０】
動画配信サーバ１０７は、ステップＳ２−１で画像表示端末装置１０１から操作情報を受信すると、まず、ステップＳ２−２で操作情報がアプリケーションプログラムファイル部１５２に記憶されたアプリケーションプログラムＡＰＬ1〜ＡＰＬmのうちの所定のアプリケーションプログラムＡＰＬiを起動する指示であるか否かを判定する。
【００５１】
動画配信サーバ１０７は、ステップＳ２−２で画像表示端末装置１０１からの操作情報がアプリケーションプログラムＡＰＬiを起動する情報であった場合には、ステップＳ２−３でアプリケーションプログラムＡＰＬiを起動し、ステップＳ２−４でその画面の画像情報を画像表示端末装置１０１に送信する。
【００５２】
画像表示端末装置１０１は、ステップＳ１−３で動画配信サーバ１０７から画像情報を受信すると、ステップＳ１−４で受信した画像情報に対してデスクランブル、伸長処理を行い、その映像信号をテレビジョン受像機１０８に供給する。テレビジョン受像機１０８は、画像表示端末装置１０１から供給された映像信号を画面に表示する。
【００５３】
このように、キーボード１０２、マウス１０３、ゲームコントロールパッド１０４、リモコン１０５などのＨＩＤの操作によって、アプリケーションプログラムＡＰＬiの画面がテレビジョン受像機１０８に表示することができる。
【００５４】
また、動画配信サーバ１０７は、ステップＳ２−２で画像表示端末装置１０１からの操作情報がアプリケーションプログラムＡＰＬiを起動する情報でない場合には、ステップＳ２−５で画像表示端末装置１０１からの操作情報がアプリケーションプログラムＡＰＬiを終了する情報か否かを判定する。
【００５５】
動画配信サーバ１０７は、ステップＳ２−５で画像表示端末装置１０１からの操作情報がアプリケーションプログラムＡＰＬiを終了する操作情報ではない場合には、ステップＳ２−６で画像表示端末装置１０１からの操作情報に基づいてアプリケーションプログラムＡＰＬiを実行し、ステップＳ２−７でアプリケーションプログラムＡＰＬi実行した結果の画面を画像表示端末装置１０１に送信する。
【００５６】
画像表示端末装置１０１は、ステップＳ１−３で動画配信サーバ１０７から画像情報を受信すると、ステップＳ１−４で受信した画像情報に対してデスクランブル、伸長処理を行い、その映像信号をテレビジョン受像機１０８に供給し、テレビジョン受像機１０８にキーボード１０２、マウス１０３、ゲームコントロールパッド１０４、リモコン１０５などのＨＩＤの操作に対応する処理を実行した結果の画面を表示させる。
【００５７】
画像表示端末装置１０１でキーボード１０２、マウス１０３、ゲームコントロールパッド１０４、リモコン１０５などのＨＩＤの操作を繰り返すことによりアプリケーションプログラムＡＰＬiによるデータ処理を実行することができる。
【００５８】
また、動画配信サーバ１０７は、ステップＳ２−５で画像表示端末装置１０１からの操作情報がアプリケーションプログラムＡＰＬiを終了する操作情報の場合には、ステップＳ２−８で起動しているアプリケーションプログラムＡＰＬiを終了する。なお、動画配信サーバ１０７は、ステップＳ２−１で画像表示装置１０１から操作情報がない場合であってもアプリケーションプログラムＡＰＬiが実行途中の動作画面を画像表示端末装置１０１に送信する。これによって、画像表示端末装置１０１には、パーソナルコンピュータで通常のアプリケーションプログラムを実行する場合と同様に、実行途中の動作画面が表示される。また、動画配信サーバ１０７は、実行されるアプリケーションプログラムＡＰＬiによっては、ステップＳ２−１で画像表示装置１０１からのアプリケーションプログラムＡＰＬiを終了する操作情報がない場合であっても終了する場合もある。
【００５９】
以上のように本実施例によれば、動画配信サーバ１０７で実行されているアプリケーションプログラムＡＰＬiを画像表示端末装置１０１側からの操作で実行し、テレビジョン受像機１０８に表示することができる。これにより、画像表示端末装置１０１を用いてアプリケーションプログラムを実行することが可能となる。
【００６０】
このとき、画像表示端末装置１０１は、従来の動作と略同様に、動画配信サーバ１０７に操作情報を送信し、動画配信サーバ１０７から供給される画像を受信し、テレビジョン受像機１０８に表示するだけの処理動作を行うだけでよいので、従来の構成と略同様構成のものを用いることができる。
【００６１】
また、本実施例によれば、アプリケーションプログラムは、サーバ１０７が実行するため、サーバ１０７の処理能力に準じてアプリケーションプログラムを実行することが可能となる。
【００６２】
なお、本実施例では、動画配信サーバ１０７でアプリケーションプログラムを実行するようにしたが、アプリケーション実行サーバを動画配信サーバとは別に設けるようにしてもよい。
【００６３】
図５は本発明の一実施例の変形例のシステム構成図を示す。同図中、図１と同一構成部分には同一符号を付し、その説明は省略する。
【００６４】
本変形例の動画配信システム２００は、動画配信サーバ２０１及びアプリケーションプログラム実行サーバ２０２を有する構成とされている。動画配信サーバ２０１は、画像表示端末装置１０１のキーボード１０２、マウス１０３、ゲームコントロールパッド１０４、リモコン１０５などのＨＩＤの操作に基づいて動画を読み出し、画像表示端末装置１０１に提供する。画像表示端末装置１０１は、動画配信サーバ２０１から提供された動画をテレビジョン受像機１０８に表示させる。
【００６５】
また、アプリケーションプログラム実行サーバ２０２は、画像表示端末装置１０１のキーボード１０２、マウス１０３、ゲームコントロールパッド１０４、リモコン１０５などのＨＩＤの操作に基づいてアプリケーションプログラムを起動、実行し、アプリケーションプログラムの画面画像表示端末装置１０１に提供する。画像表示端末装置１０１は、動画配信時には、動画配信サーバ２０１から提供された動画をテレビジョン受像機１０８に表示させる。また、画像表示端末装置１０１は、アプリケーションプログラムの実行時には、アプリケーションプログラム実行サーバ２０２から提供された画面をテレビジョン受像機１０８に表示させる。
【００６６】
本変形例によれば、アプリケーションプログラムはアプリケーションプログラム実行サーバ２０２で実行されるため、動画配信サーバ２０１の処理の負荷を軽減でき、動画配信サービスに支障をきたすことなくアプリケーションプログラムを実行させることが可能となる。
【００６７】
なお、本発明は上記実施例に限定されるものではなく、本発明の要旨を逸脱しない範囲において種々の変形例が考えられることは言うまでもない。
【図面の簡単な説明】
【００６８】
【図１】本発明の一実施例のシステム構成図である。
【図２】画像表示端末装置１０１のブロック構成図である。
【図３】動画配信サーバ１０７のブロック構成図である。
【図４】本発明の一実施例の動作説明図である。
【図５】本発明の一実施例の変形例のシステム構成図である。
【符号の説明】
【００６９】
１００、２００  画像配信システム、１０１  画像表示端末装置、１０２  キーボード
１０３  マウス、１０４  ゲームコントロールパッド、１０５  リモコン
１０６  ネットワーク、１０７  動画配信サーバ
１２１  ＣＰＵ、１２２  フラッシュメモリ、１２３、１２４  作業用メモリ
１２５  ＰＣＩバス、１２６  ＭＰＥＧコーデック、１２７  通信回路
１２８  表示コントローラ、１２９  表示装置、１３０  ビデオスイッチ
１３１  ディジタルアナログコンバータ、１３２  ＵＳＢコントローラ
１３３  ＭＣＵ、１３４  受光部、１３５  ＩＤＥコントローラ、Ｃ11  通信コネクタ
Ｃ21  コンポジット映像信号出力端子、Ｃ22  セパレート映像信号出力端子
Ｃ23  コンポーネント映像信号出力端子、Ｃ24  オーディオ信号出力端子
Ｃ25  光オーディオ信号出力端子、Ｃ26  ＵＳＢポート
１４１  通信回路、１４２  ＣＰＵ、１４３  メモリ、１４４  ファイル装置
１５１  動画ファイル部、１５２  アプリケーションプログラムファイル部
Ｄ1〜Ｄn  動画データ、ＡＰＬ1〜ＡＰＬm  アプリケーションプログラム
２０１  動画配信サーバ、２０２  アプリケーションプログラム実行サーバ
【図１】
2008141697.tif 000003
【図２】
2008141697.tif 000004
【図３】
2008141697.tif 000005
【図４】
2008141697.tif 000006
【図５】
2008141697.tif 000007